(57)【要約】    【課題】  医療従事者が直感的に画像データの編集作業が行える画像編集システムを提供する。    【解決手段】  画像データを分類されたグループ毎に作成されたフォルダの階層構造を表示するフォルダ表示領域と、そのフォルダ表示領域において選択されたフォルダに格納された画像データを一覧表示する画像データ表示領域と、新たに作成する新規フォルダに格納すべき画像データを表示する編集データ表示領域とを一画面表示するとともに、画像データは、医療関連の画像データとし、前記編集データ表示領域には、画像データ表示領域に一覧表示された画像データを当該出力画面中にドラッグ可能であるように形成したことを特徴とする画像データ編集システムとする。【選択図】    図２
2006146623.tif 000002
【特許請求の範囲】
【請求項１】
情報処理装置における出力画面において、
画像データを分類されたグループ毎に作成されたフォルダの階層構造を表示するフォルダ表示領域と、
そのフォルダ表示領域において選択されたフォルダに格納された画像データを一覧表示する画像データ表示領域と、
新たに作成する新規フォルダに格納すべき画像データを表示する編集データ表示領域とを一画面表示するとともに、
画像データは、医療関連の画像データとし、
前記編集データ表示領域には、画像データ表示領域に一覧表示された画像データを当該編集データ表示領域中にドラッグ可能であるように形成したことを特徴とする画像データ編集システム。
【請求項２】
前記フォルダ表示領域における各フォルダを示すアイコンには、当該フォルダ内に格納された画像データの概要が把握可能な概略表示をすることとした請求項１に記載の画像データ編集システム。
【請求項３】
前記フォルダ表示領域に表示されるフォルダにおいて、予め提供される既存フォルダは、医療症例毎に分類されているとともに、
予め提供された画像データと新規フォルダに格納された画像データとは、オペレーションシステムにおける単独の画像用フォルダに格納されることとした請求項１または請求項２のいずれかに記載した画像データ編集システム。
【請求項４】
前記フォルダ表示領域に表示されるフォルダにおいて、予め提供される既存フォルダは、医療症例毎に分類されているとともに、
予め提供された画像データと新規フォルダに格納された画像データとは、オペレーションシステムにおいては、別々の画像用フォルダに格納されることとした請求項１または請求項２のいずれかに記載した画像データ編集システム。
【請求項５】
記憶手段に医療関連の画像データを予め格納したコンピュータにおける出力画面を制御するプログラムであって、
そのプログラムは、  画像データを分類されたグループ毎に作成されたフォルダの階層構造を表示するフォルダ表示領域、  そのフォルダ表示領域において選択されたフォルダに格納された画像データを一覧表示する画像データ表示領域、  および新たに作成する新規フォルダに格納すべき画像データを表示する編集データ表示領域を一画面表示する一画面表示手順と、
その一画面表示手順によって表示された編集データ表示領域において、当該コンピュータの操作者が画像データ表示領域に一覧表示された画像データを当該編集データ表示領域中にドラッグした場合に当該画像データをドラッグ可能であるように制御するドラッグ制御手順とをコンピュータに実行させることとしたことを特徴とするコンピュータプログラム。
【請求項６】
前記の一画面表示手順において、前記フォルダ表示領域における各フォルダを示すアイコンには、当該フォルダ内に格納された画像データの概要が把握可能な概略表示をすることとした請求項５に記載のコンピュータプログラム。
【請求項７】
記憶手段に医療関連の画像データを予め格納する事前格納手順においては、予め格納される画像データが医療症例毎に分類したフォルダに格納されたようにフォルダ表示領域へ表示されるようにするとともに、オペレーションシステムにおいては単独の画像用フォルダに格納することとし、
新たに作成する新規フォルダへ格納する画像データもまた、前記の画像用フォルダへ格納することとした請求項５または請求項６のいずれかに記載のコンピュータプログラム。
【請求項８】
記憶手段に医療関連の画像データを予め格納する事前格納手順においては、予め格納される画像データが医療症例毎に分類したフォルダに格納されたようにフォルダ表示領域へ表示されるようにするとともに、オペレーションシステムにおいては単独の画像用フォルダに格納することとし、
新たに作成する新規フォルダへ格納する画像データは、前記の画像用フォルダとは別の画像用フォルダへ格納することとした請求項５または請求項６のいずれかに記載のコンピュータプログラム。
【発明の詳細な説明】
【技術分野】
【０００１】
本発明は、情報処理技術を利用して、医療に関わる、特に歯科治療に関わる情報処理を簡易に行えるようにした情報提供技術に関する。
【背景技術】
【０００２】
本願に関連する先行技術として、特許第３２４１０９１号を抽出した。この文献には、以下のような技術が記載されている。すなわち、口腔疾患の患者に対する治療説明をサンプル画像などによって患部画像を治療の前後で比較できる表示手段を備えた画像システムとしている。このため、患者の理解を得られやすいという効果がある、とされている。
【０００３】
【特許文献１】特許第３２４１０９１号公報
【０００４】
また、特開２００３−２９９６７７号には、歯科患者に治療内容を理解させるとともに、データの表示、記録が効率的にできるシステムについて開示されている。すなわち、患者に対して発行するＩＤ、治療に関する画像データの入力手段、ＩＤごとに設けられる記憶領域、情報処理をする制御手段、画像を表示する表示手段を備えている。
【０００５】
【特許文献２】特開２００３−２９９６７７号公報
【発明の開示】
【発明が解決しようとする課題】
【０００６】
しかしながら、特許第３２４１０９１号公報、および特開２００３−２９９６７７号公報に記載の技術では、画像データを編集する歯科医師の負担を軽減する技術ではなかった。
まず、特許第３２４１０９１号公報に開示された技術では、蓄積されたサンプル画像を迅速容易に検索できるとしているが、疾患の名称や段階種別などによる検索は限界がある。すなわち、テキストデータや段階種別では画像データそのものを検索対象とはしていない。このため、サンプル画像から最適な画像データを選び出す作業は、どうしても歯科医師の最終判断が必要となっている。ところが、サンプル画像を用いた編集作業については解決手段が提供されていない。
【０００７】
特開２００３−２９９６７７号公報に開示された技術は、撮影手段から画像データを取り込めるように形成されている。しかし、そうした画像データを用いた編集作業については解決手段が提供されていない。
【０００８】
そこで、本発明が解決しようとする課題は、医療従事者による画像データ編集作業に関する点を解消し、直感的に画像データの編集作業が行える技術を提供することにある。
ここで、請求項１および請求項２に記載の発明の目的は、医療従事者が直感的に画像データの編集作業が行える画像編集システムを提供することにある。
また、請求項５および請求項６に記載の発明の目的は、医療従事者が直感的に画像データの編集作業が行える画像編集プログラムを提供することにある。
また、請求項３および請求項７に記載の発明の目的は、正当な利用者には使いやすく、不正コピー利用者には使いにくい画像編集システムまたはプログラムを提供することにある。
更に、請求項４および請求項８に記載の発明の目的は、新規作成した画像データの加工や再利用がしやすい画像編集システムまたはプログラムを提供することにある。
【課題を解決するための手段】
【０００９】
（請求項１）
請求項１記載の発明は、情報処理装置における出力画面において、
画像データを分類されたグループ毎に作成されたフォルダの階層構造を表示するフォルダ表示領域と、  そのフォルダ表示領域において選択されたフォルダに格納された画像データを一覧表示する画像データ表示領域と、  新たに作成する新規フォルダに格納すべき画像データを表示する編集データ表示領域とを一画面表示するとともに、  画像データは、医療関連の画像データとし、  前記編集データ表示領域には、画像データ表示領域に一覧表示された画像データを当該編集データ表示領域中ににドラッグ可能であるように形成したことを特徴とする画像データ編集システムに係る。
【００１０】
（用語説明）
「医療関連の画像データ」とは、患部の写真、治療装置の実写やアニメーションの動画、イラスト、説明文、図表などを含む。
「ドラッグ」とは、ポインタ操作によるコピーのほか、キーボード操作によるコピーアンドペーストを含む。
【００１１】
（作用）
本請求項に係る情報処理装置における出力画面には、予め前記情報処理装置の記憶手段に格納された医療関連の画像データについて、それを分類されたグループ毎に作成されたフォルダの階層構造を表示するフォルダ表示領域と、  そのフォルダ表示領域において選択されたフォルダに格納された画像データを一覧表示する画像データ表示領域と、  新たに作成する新規フォルダに格納すべき画像データを表示する編集データ表示領域とが一画面表示される。
前記編集データ表示領域には、画像データ表示領域に一覧表示された画像データを当該編集データ表示領域中にドラッグ可能である。したがって、直感的な画像データ編集作業が可能となる。したがって、医療従事者は、画像データ編集作業にそれほど習熟しなくても、画像編集作業が行え、サンプル画像から最適な画像データを選び出す作業に集中できる。
【００１２】
（請求項２）
請求項２記載の発明は、請求項１に記載の画像データ編集システムを限定したものである。
すなわち、前記フォルダ表示領域における各フォルダを示すアイコンには、当該フォルダ内に格納された画像データの概要が把握可能な概略表示をすることとしたことを特徴とする。
【００１３】
（用語説明）
「概略表示」とは、格納されている画像データの数を示す表示、画像データの種類（例えば、写真とそれ以外の動画）を区別できるように色分けしたりする表示、当該アイコンにポインタを重ねると格納されている画像データが縮小表示される表示、などをいうものとする。
【００１４】
（作用）
フォルダ表示領域における各フォルダを示すアイコンには、当該フォルダ内に格納された画像データの概要が把握可能な概略表示がなされる。画像データは一般に分類がしにくいが、概略表示があれば医療従事者は格納されている画像データがどんなものであったかを思い出したりしやすくなる。そのため、画像編集作業を効率化することができる。
【００１５】
（請求項３）
請求項３記載の発明は、請求項１または請求項２のいずれかに記載した画像データ編集システムを限定したものである。
すなわち、前記フォルダ表示領域に表示されるフォルダにおいて、予め提供される既存フォルダは、医療症例毎に分類されているとともに、  予め提供された画像データと新規フォルダに格納された画像データとは、オペレーションシステムにおける単独の画像用フォルダに格納されることとした画像データ編集システムに係る。
「新規フォルダ」とは、本システムのユーザによって作成されるユーザフォルダが一般的である。
【００１６】
（作用）
正当な利用者にとっては、予め提供される既存フォルダが医療症例毎に分類されているので、画像データを利用しやすい。
しかし、不正に利用しようとする者にとっては、オペレーションシステムのファイルから画像データを不正にコピーする作業は容易であるものの、極めて多くの画像データが分類、整理されずに格納されているので、その後の利用は難い。結果として、不正コピーの抑制が期待できる。
【００１７】
（請求項４）
請求項４記載の発明は、請求項１または請求項２のいずれかに記載した画像データ編集システムを限定したものである。
すなわち、前記フォルダ表示領域に表示されるフォルダにおいて、予め提供される既存フォルダは、医療症例毎に分類されているとともに、
予め提供された画像データと新規フォルダに格納された画像データとは、オペレーションシステムにおいては、別々の画像用フォルダに格納されることとした画像データ編集システムに係る。
【００１８】
（作用）
本システムのユーザによって作成された画像データは、予め提供された画像データとはオペレーションシステムにおいては、別のフォルダに格納されるので、ユーザによって新たに作成または編集された画像データを検索したり、コピーしたり、編集または加工したりと、再利用しやすくなる。
【００１９】
なお、前記フォルダ表示領域に表示されるフォルダにおいて、予め提供される既存フォルダは、医療症例毎に分類されているとともに、予め提供された画像データは、オペレーションシステムにおける単独のフォルダに格納されることとする。更に、新規フォルダに格納された画像データは、前記フォルダ表示領域の階層構造及びフォルダ名と同一の階層構造及びフォルダ名にてオペレーションシステム上に格納されることとしてもよい。
【００２０】
利用者が自ら用意したユーザー画像データについては、他のシステムなどで再利用を希望する場合も多い。請求項３に記載した発明のように単独のファイルに全ての画像データが格納されていると、ユーザー画像データについても再利用は難しい。しかし、本請求項のように、新規に作成されたフォルダ（ユーザーフォルダ）に格納された画像データが、フォルダ表示領域の階層構造及びフォルダ名と同一の階層構造及びフォルダ名にてオペレーションシステム上に格納されると、利用者が自ら用意したユーザー画像データのみについて再利用が容易となる。
【００２１】
（請求項５）
請求項５記載の発明は、記憶手段に医療関連の画像データを予め格納したコンピュータにおける出力画面を制御するプログラムに係る。
そのプログラムは、画像データを分類されたグループ毎に作成されたフォルダの階層構造を表示するフォルダ表示領域、  そのフォルダ表示領域において選択されたフォルダに格納された画像データを一覧表示する画像データ表示領域、  および新たに作成する新規フォルダに格納すべき画像データを表示する編集データ表示領域を一画面表示する一画面表示手順と、
その一画面表示手順によって表示された編集データ表示領域において、当該コンピュータの操作者が画像データ表示領域に一覧表示された画像データを編集データ表示領域中にドラッグした場合に当該画像データをドラッグ可能であるように制御するドラッグ制御手順とをコンピュータに実行させることとしたことを特徴とするコンピュータプログラムである。
【００２２】
（請求項６）
請求項６記載の発明は、請求項５記載の発明を限定したものである。
すなわち、前記の一画面表示手順において、前記フォルダ表示領域における各フォルダを示すアイコンには、当該フォルダ内に格納された画像データの概要が把握可能な概略表示をすることとしたコンピュータプログラムに係る。
【００２３】
（請求項７）
請求項７記載の発明は、請求項５または請求項６のいずれかに記載した画像データ編集プログラムを限定したものである。
すなわち、記憶手段に医療関連の画像データを予め格納する事前格納手順においては、予め格納される画像データが医療症例毎に分類したフォルダに格納されたようにフォルダ表示領域へ表示されるようにするとともに、オペレーションシステムにおいては単独の画像用フォルダに格納することとする。
また、新たに作成する新規フォルダへ格納する画像データもまた、前記の画像用フォルダへ格納することとする。
【００２４】
（請求項８）
請求項８記載の発明は、請求項５または請求項６のいずれかに記載した画像データ編集プログラムを限定したものである。
すなわち、記憶手段に医療関連の画像データを予め格納する事前格納手順においては、予め格納される画像データが医療症例毎に分類したフォルダに格納されたようにフォルダ表示領域へ表示されるようにするとともに、オペレーションシステムにおいては単独の画像用フォルダに格納することとし、
新たに作成する新規フォルダへ格納する画像データは、前記の画像用フォルダとは別の画像用フォルダへ格納することとしたコンピュータプログラムである。
【００２５】
請求項４から請求項６に記載のコンピュータプログラムを、記録媒体へ記憶させて提供することもできる。ここで、「記録媒体」とは、それ自身では空間を占有し得ないプログラムを担持することができる媒体であり、例えば、フレキシブルディスク、ハードディスク、ＣＤ−Ｒ、ＭＯ（光磁気ディスク）、ＤＶＤ−Ｒなどである。
また、これらの発明に係るプログラムを格納したコンピュータから、通信回線を通じて他のコンピュータへ伝送することも可能である。
また、汎用的なコンピュータに対して、請求項３または請求項４に記載の発明に係るプログラムをプリインストール、あるいはダウンロードすることで、請求項１または請求項２に係るシステムを形成することも可能である。
【発明の効果】
【００２６】
請求項１および請求項２に記載の発明によれば、医療従事者が直感的に画像データの編集作業が行える画像編集システムを提供することができた。
また、請求項５および請求項６に記載の発明によれば、医療従事者が直感的に画像データの編集作業が行える画像編集プログラムを提供することができた。
また、請求項３および請求項７に記載の発明によれば、正当な利用者には使いやすく、不正コピー利用者には使いにくい画像編集システムまたはプログラムを提供することができた。
更に、請求項３および請求項７に記載の発明によれば、正当な利用者には使いやすく、不正コピー利用者には使いにくい画像編集システムまたはプログラムを提供することができた。
【発明を実施するための最良の形態】
【００２７】
以下、本発明を実施の形態及び図面に基づいて、更に詳しく説明する。ここで使用する図面は、図１から図８である。図１から図３は、画像データの編集作業を時系列的に示したものである。図４および図５は、フォルダ内に格納された画像データの概略を表示する実施形態を示す概念図である。図６から図８は、実施形態に係るコンピュータプログラムの主要画面を示す図である。
【００２８】
（画像データ編集）
本実施形態に係る画像データ編集プログラムをインストールしたコンピュータを、歯科医師が操作する画像データの編集手順について、図１から図３を用いて説明する。
画面上部に現れる操作選択ボタンから「モデル症例」（予め用意された医療症例データ集）、「ユーザー症例」（ユーザー作成医療症例データ）、「セレクト」（新規作成ユーザーデータ）のいずれかを選択する。すると、選択されたデータに対応して、画面の左側にフォルダ表示領域、画面の右側に画像表示領域が表示される。
さらに、操作選択ボタンから「編集」を選択する。すると、画面の左上部にフォルダ表示領域、そのフォルダ表示領域の下方に編集データ表示領域、画面の右全体には画像表示領域が操作可能となる。
【００２９】
フォルダ表示領域には、既に作成および編集された画像データを分類され、あるグループ毎に作成されたフォルダの階層構造が表示される。図１に示しているのは、「セレクト」（新規作成ユーザーデータ）の場合の一例であり、歯科患者毎に分類されたフォルダに画像データが格納され、各フォルダには患者名が付けられている。このフォルダ表示領域に表示されたフォルダの中のひとつをポインタやクリックボタンを用いて選択すると、「選択フォルダ」となる。そして、その選択フォルダに格納されている画像データが画像データ表示領域に一覧表示される。
【００３０】
図１に示す画像データ表示領域には、選択フォルダに格納された画像データ（症例画像データ）は９枚存在しており、縦横三行三列（Ａ，Ｂ，・・Ｊ）で表示される。
なお、図示は省略するが、症例画像データの一つを選択してダブルクリックなどの所定操作を行うと、その症例画像データを拡大表示することができる。
【００３１】
編集データ表示領域は、新たに作成する新規フォルダに格納すべき画像データを表示するものである。この編集データ表示領域の左側には操作選択ボタンが用意されているとともに、その右側は、選択画像用領域となっている。操作選択ボタンのいずれも選択されていない状態にあっては、この選択画像用領域を用いての編集作業が可能である。
【００３２】
図２を用いて、選択画像用領域による編集作業について説明する。
歯科医師は、新たな患者である「中谷ひろみ」に対する治療の説明や、治療の参考となるような画像データを編集するため、編集データ表示領域に「中谷ひろみ」と名付ける。そして、参考となる画像データが存在する「寄友隆」を選択フォルダとして選択することによって、画像データ表示領域に「寄友隆」のフォルダに格納された画像データを一覧表示させる。
【００３３】
「寄友隆」のフォルダ内に格納された９種類の症例画像データの中から、歯科医師が必要と判断した症例画像データにポインタを移動させる。するとポインタが重なった症例画像データは他の症例画像データと区別される表示となり、選択画像データであることが視覚的に分かる。
その選択画像データを選択画像用領域へドラッグすれば、その選択画像データは「中谷ひろみ」用の症例画像データとして準備されることとなる。図２では、「寄友隆」のフォルダ内に格納された９種類の症例画像データの中からＡ，Ｄ，Ｆ，Ｇを選んだことが示されている。
【００３４】
図３は、図２に示した操作で準備された「中谷ひろみ」用の症例画像データを保存した状態の画面を示したものである。
編集データ表示領域における操作選択ボタンの中から「保存」を選んでクリックする。すると、フォルダ表示領域に「中谷ひろみ」のフォルダが現れ、コンピュータ内の記憶手段（ハードディスクドライブ）への保存が終了する。（換言すれば、図２に示した状態では「中谷ひろみ」のフォルダはランダムアクセスメモリに保存されているに過ぎない。）
【００３５】
なお、保存直後は、フォルダ表示領域には保存直後のフォルダが選択フォルダとして選択された状態となっており、画像データ表示領域には、「中谷ひろみ」のフォルダに格納された症例画像データ（Ａ，Ｄ，Ｆ，Ｇ）が一覧表示されることとなる。このため、歯科医師は「中谷ひろみ」のフォルダに格納された症例画像データが適切なものであったかどうかをこの段階で確認することができる。
【００３６】
続いて、図４を用いて、概略表示の機能について説明する。図４は、フォルダ表示領域を拡大して示したものである。また、図４に示す「概略表示」とは、格納されている画像データの数を示す表示、画像データの種類（例えば、写真とそれ以外の動画）を区別できるように色分けしたりする表示である。
【００３７】
（概略表示機能）
図４では、フォルダが階層表示される様子も示している。すなわち、「歯槽膿漏の患者」というフォルダ内に４人の患者の名前が付けられたフォルダが格納されているツリー構造にて示されている（フォルダ階層表示）。
更に、各患者のフォルダのアイコンには、画像データ表示領域を縮小したような収納データ概略表示がなされる。たとえば、中谷ひろみのフォルダアイコンには、４つの症例画像データが格納されていることが一目で認識できる。
【００３８】
また、富竹良二のフォルダには、写真画像ではなく、動画データ、イラストデータなどのデータも格納されていることが分かるように、フォルダアイコン内の画像データアイコンが更に区別できるような「データ種別表示」がなされている。
以上のように、概略表示機能があるので、画像データの編集作業を行う歯科医師としては、格納されている画像データがどんなものであったかを思い出したりしやすくなる。そのため、画像編集作業を効率化することができる。
【００３９】
（概略表示機能のバリエーション）
図５は、前述した概略表示機能のバリエーションのバリエーションについて説明したものである。
すなわち、フォルダ表示領域における各フォルダにポインタを重ねると、そのポインタにバルーン表示が現れ、そのバルーンの中にフォルダ内に格納された画像データが縮小画像データとして表示されるものである。
【００４０】
（図６）
図６は、本実施形態に係る画像データ編集プログラムをインストールしたコンピュータにて、当該プログラムを立ち上げた場合の初期画面を示したものである。
「歯科医院用画像ファイルシステム」というタイトルが画面上部に現れるとともに、画面右側にメニューボタン、画面下部にもメニューボタンが表示される。
【００４１】
「症例集」が画像データ編集プログラムの本体であり、「症例集編集」は画像データ編集プログラムのフォルダ・画像データの名称変更、フォルダ・画像データの説明文を入力するとき利用される。
なお、フォルダ・画像データの説明文については、フォルダ表示領域のフォルダ・画像の位置にポインタを合わせることに表示させたり、画像表示領域の画像の下の位置に表示させたりすることができる。
その他、「歯科検査」、「院内業務」などの歯科関連作業には、この画面からリンクされている。
【００４２】
（図７）
図７に示すのは、図６の画面から「院内業務」というメニューボタンをクリックした場合に現れる院内業務画面である。
この画面から各歯科関連作業を選択して作業することができ、関連作業を容易に選択、実施することができる。
【００４３】
（図８）
図８に示すのは、図６の画面から「症例集」というメニューボタンをクリックした場合に現れる症例集画面である。
この画面にて、症例画像を閲覧できるとともに、上記編集作業を行うことができる。
また、症例画像を利用して患者にプレゼンテーションするときにも、この画面を利用する。
【００４４】
（ハードディスクにおけるデータ構造）
本実施形態に係る画像データ編集プログラムは、コンピュータにインストールされると、ハードディスク内において全ての画像データは単独のフォルダに格納されるようにしている。すなわち、本実施形態に係る画像データ編集プログラムを立ち上げた場合には、階層ディレクトリを用いて分類、整理がされている（例えば、医療症例によって区画されている）が、ＯＳ上は全ての画像データは単独のフォルダに格納している。また、画像名についても意味のない連番等を利用している
これは、極めて多くの画像データが分類、整理されずに格納されることによって、画像データを不正にコピーして利用し難いようにするためである。
【００４５】
一方、利用者が自ら用意したユーザー画像データについては、全ての画像データを単独のフォルダに格納せずに、フォルダ表示領域と同一の階層構造及びフォルダ名にて、ＯＳ（オペレーションズシステム）上おいても扱えると便利な場合がある。
この場合、「ユーザー症例」（ユーザー医療症例データ）、「セレクト」（新規作成ユーザーデータ）等のユーザーデータのみについて、ハードディスク内にフォルダ表示領域と同一の階層構造及びフォルダ名にて格納することを、システム設計時にあるいはシステムの環境設定（インストール時）にて選択することができる。
これは、システムに予め格納した画像データ（「モデル症例」）を不正にコピーして利用し難いようにし、ユーザー画像データ（「ユーザー症例」、「セレクト」）については画像の再利用を容易にするためである。
【００４６】
なお、ユーザー画像データを含め全ての画像データを単独のフォルダに格納し、ユーザー画像データに限り、画像データを出力するときにフォルダ表示領域と同一の階層構造及びフォルダ名にて出力させても良い。勿論、画像名についても同様に出力させることができる。
これにより、ユーザー画像データの再利用を容易になる。
また、「ユーザー症例」などのユーザー画像データをシステムに取り込むときに、ＯＳ上の階層構造、フォルダ名、画像名などをそのまま利用してフォルダ表示領域を作成することが出来る。
これにより、別途、蓄積したユーザー画像データを容易にシステムに取り込み、利用することが可能になる
【００４７】
本プログラムの操作者（歯科医師）にとっては、医療症例によって区画されたフォルダが予め立ち上がるので、画像データの検索や画像データのメンテナンスが容易であるが、画像データの不正利用には手間が掛かるので事実上の抑止力となる。
【産業上の利用可能性】
【００４８】
前述の実施形態では、歯科医師が画像データ編集作業に関する点を解消し、直感的に画像データの編集作業が行える技術を提供するものとして説明したが、画像データの種類が異なれば、他の医療分野（例えば外科、皮膚科など）にも用いることが可能である。
【図面の簡単な説明】
【００４９】
【図１】画像データの編集作業を示す概念図である。
【図２】画像データの編集作業を示す概念図である。
【図３】画像データの編集作業を示す概念図である。
【図４】フォルダ内に格納された画像データの概略を表示する実施形態を示す概念図である。
【図５】フォルダ内に格納された画像データの概略を表示する実施形態を示す概念図である。
【図６】初期画面を示す図である。
【図７】院内業務のメニュー画面を示す図である。
【図８】症例集画面を示す図である。
【図１】
2006146623.tif 000003
【図２】
2006146623.tif 000004
【図３】
2006146623.tif 000005
【図４】
2006146623.tif 000006
【図５】
2006146623.tif 000007
【図６】
2006146623.tif 000008
【図７】
2006146623.tif 000009
【図８】
2006146623.tif 000010